(57)【要約】【課題】  従来は、携帯端末機器の所有者である視聴者は、予約したテレビ放送が変更されたことなどを外出先で知るのは困難であるため、録画データを再生し内容を確認するまでは、予約したテレビ放送番組が正常に録画されているかどうかを知ることができない。【解決手段】  視聴者が録画予約したテレビ放送の録画が開始されると、画像処理装置２１３は、Ａ／Ｄ変換装置２１２から供給されるディジタル映像信号から、テレビ放送の番組開始直後一定期間の録画画像データを抽出した後、所定の画像フォーマットへ変換する。メール送信装置２３２は、画像処理装置２１３からの録画画像データが添付された録画確認の電子メールを作成し、ネットワーク通信部２５０、インターネット３０を介してクライアント装置３００へ送信する。クライアント装置３００は、この録画確認用メールの添付録画画像データの再生画像から予約記録が正常に行われているかの確認ができる。【選択図】            図１
2005286519.tif 000002
【特許請求の範囲】
【請求項１】
予約された記録開始時刻から記録終了時刻まで所望の情報信号を蓄積部に蓄積すると共に、その予約記録状況を、通信ネットワークを介して接続されるクライアント装置に確認させる予約記録確認システムのサーバ装置であって、
前記通信ネットワークを介して前記クライアント装置に接続して双方向通信を行う接続手段と、
予約された記録開始時刻から記録終了時刻まで、予約されたチャンネルの所望の情報信号を前記蓄積部に蓄積する蓄積手段と、
予約記録開始直後、又は予め設定された時間経過後から予め定められた所定時間の前記情報信号を所定のフォーマットに変換して情報データを得るデータ生成手段と、
前記情報データが添付された確認用電子メールを生成して、前記接続手段を介して前記クライアント装置へ送信するメール送信手段と、
前記クライアント装置からの予約記録のアクセスに基づき、予約記録確認メニュー画面情報を生成して、前記接続手段を介して前記クライアント装置へ送信するメニュー画面情報生成手段と、
前記クライアント装置から送信された前記予約記録情報を、前記接続手段を介して受信し、受信した前記予約記録情報に応じて予約記録開始時刻、予約記録終了時刻及び予約チャンネルを設定する予約記録設定手段と
を有することを特徴とする予約記録確認システムにおけるサーバ装置。
【請求項２】
予約された記録開始時刻から記録終了時刻まで所定の記録媒体に予約チャンネルの所望の情報信号を記録するサーバ装置の予約記録状況を、該サーバ装置に通信ネットワークを介して接続して確認する予約記録確認システムのクライアント装置であって、
前記通信ネットワークを介して前記サーバ装置に接続して双方向通信を行う接続手段と、
前記所望の情報信号を再生する再生手段と、
前記サーバ装置から送信された、予約記録開始直後、又は予め設定された時間経過後から予め定められた所定時間の前記情報信号を所定のフォーマットに変換して得た情報データが添付された確認用電子メールを、前記接続手段を介して受信し、添付された前記情報データを前記再生手段に供給して再生させるメール受信手段と、
前記サーバ装置に対して、前記接続手段を介して予約記録のアクセスを行うことにより、前記サーバ装置から予約記録確認メニュー画面情報を取得して表示するメニュー画面情報表示手段と、
表示した前記メニュー画面情報に基づき、所望の予約記録開始時刻、予約記録終了時刻及び予約チャンネルからなる予約情報を生成して、前記接続手段を介して前記サーバ装置へ送信する予約情報送信手段と
を有することを特徴とする予約記録確認システムにおけるクライアント装置。
【発明の詳細な説明】
【技術分野】
【０００１】
本発明はテレビ放送の予約記録確認システムにおけるサーバ装置及びクライアント装置に係り、特に利用者が録画予約したテレビ放送の録画開始後に、その録画データの一部分を利用者側端末へ送信するテレビ放送の予約記録確認システムにおけるサーバ装置及びクライアント装置に関する。
【背景技術】
【０００２】
従来、視聴者によって行われるテレビ放送の録画予約は、所望のテレビ放送のチャンネル、放送開始時刻、放送終了時刻などの情報を録画機器に入力することによってなされている。また、視聴者が録画予約したテレビ放送の録画が完了したことを知る手段も提案されている（例えば、特許文献１参照）。
【０００３】
この特許文献１記載の従来の予約記録確認システムでは、クライアント装置である携帯端末機器においてデータ放送によりテレビ放送の番組情報を取得してその番組情報を閲覧し、更にはその番組情報に基づき所望の番組の録画予約の情報を電子メールでサーバ装置である受信装置に送信し、受信装置により受信した電子メールの録画予約の情報に基づき録画機器において録画予約させ、また、録画完了時には、録画されたテレビ放送の情報を含む電子メールを、受信装置の電子メール送信手段により生成して視聴者が所有する携帯端末機器へ送信させ、視聴者はその電子メールを受信することにより録画完了を知る、といった予約記録確認システムが開示されている。
【０００４】
【特許文献１】特開２００１−１３６４５２号公報
【発明の開示】
【発明が解決しようとする課題】
【０００５】
しかしながら、上記の従来の予約記録確認システムでは、携帯端末機器の所有者である視聴者は、録画予約したテレビ放送番組が臨時ニュースなどのテレビ放送に変更されたことや、野球中継の延長により予定の時間に放送されないといったことを外出先で知るのは困難であるため、自宅において録画データを再生し内容を確認するまでは、録画予約したテレビ放送番組が録画機器において正常に録画されているかどうかを知ることができないという問題がある。
【０００６】
本発明は上記の点に鑑みなされたもので、テレビ放送を受信する手段を持たない携帯端末機器などのクライアント装置であっても、サーバ装置において記録中のテレビ放送の画像等を取得して閲覧することにより、視聴者が予約した放送信号番組が記録機器において正常に記録されているかどうかを知ることができる予約記録確認システムにおけるサーバ装置及びクライアント装置を提供することを目的とする。
【課題を解決するための手段】
【０００７】
上記の目的を達成するため、本発明のサーバ装置は、予約された記録開始時刻から記録終了時刻まで所望の情報信号を蓄積部に蓄積すると共に、その予約記録状況を、通信ネットワークを介して接続されるクライアント装置に確認させる予約記録確認システムのサーバ装置であって、通信ネットワークを介してクライアント装置に接続して双方向通信を行う接続手段と、予約された記録開始時刻から記録終了時刻まで、予約されたチャンネルの所望の情報信号を蓄積部に蓄積する蓄積手段と、予約記録開始直後、又は予め設定された時間経過後から予め定められた所定時間の情報信号を所定のフォーマットに変換して情報データを得るデータ生成手段と、情報データが添付された確認用電子メールを生成して、接続手段を介してクライアント装置へ送信するメール送信手段と、クライアント装置からの予約記録のアクセスに基づき、予約記録確認メニュー画面情報を生成して、接続手段を介してクライアント装置へ送信するメニュー画面情報生成手段と、クライアント装置から送信された予約記録情報を、接続手段を介して受信し、受信した予約記録情報に応じて予約記録開始時刻、予約記録終了時刻及び予約チャンネルを設定する予約記録設定手段とを有することを特徴とする。
【０００８】
この発明では、予約記録開始直後又は予め設定された時間経過後から予め定められた所定時間の情報信号を所定のフォーマットに変換して得た情報データが添付された確認用電子メールをクライアント装置へ送信するようにしたため、クライアント装置で予約記録開始直後から一定時間の情報内容の確認ができる。また、この発明では、クライアント装置から送信された予約記録情報に基づき、その予約記録情報の予約記録開始時刻、予約記録終了時刻及び予約チャンネルを設定することができる。
【０００９】
また、上記の目的を達成するため、本発明のクライアント装置は、予約された記録開始時刻から記録終了時刻まで所定の記録媒体に予約チャンネルの所望の情報信号を記録するサーバ装置の予約記録状況を、サーバ装置に通信ネットワークを介して接続して確認する予約記録確認システムのクライアント装置であって、通信ネットワークを介してサーバ装置に接続して双方向通信を行う接続手段と、所望の情報信号を再生する再生手段と、サーバ装置から送信された、予約記録開始直後、又は予め設定された時間経過後から予め定められた所定時間の情報信号を所定のフォーマットに変換して得た情報データが添付された確認用電子メールを、接続手段を介して受信し、添付された情報データを再生手段に供給して再生させるメール受信手段と、サーバ装置に対して、接続手段を介して予約記録のアクセスを行うことにより、サーバ装置から予約記録確認メニュー画面情報を取得して表示するメニュー画面情報表示手段と、表示したメニュー画面情報に基づき、所望の予約記録開始時刻、予約記録終了時刻及び予約チャンネルからなる予約情報を生成して、接続手段を介してサーバ装置へ送信する予約情報送信手段とを有することを特徴とする。
【００１０】
この発明では、サーバ装置から送信された確認用電子メールに添付されている、予約記録開始直後又は予め設定された時間経過後から予め定められた所定時間の情報信号を所定のフォーマットに変換して得た情報データを再生手段に供給して再生するようにしたため、サーバ装置において予約記録を開始したときの記録開始直後の情報内容を確認できる。また、この発明では、所望の予約記録開始時刻、予約記録終了時刻及び予約チャンネルからなる予約情報を生成して、接続手段を介してサーバ装置へ送信することができるため、サーバ装置の予約記録動作の制御ができる。
【発明の効果】
【００１１】
本発明によれば、予約記録開始直後から一定時間の情報信号を所定のフォーマットに変換して得た情報データが添付された確認用電子メールをクライアント装置へ送信し、クライアント装置で受信した確認用電子メールに添付された情報データを再生することで、サーバ装置において予約記録を行ったことをクライアント装置で確認でき、また、予約記録した放送番組の突然の変更を、再生した情報信号の内容から外出先のクライアント装置で簡単に知ることができる。
【００１２】
また、本発明によれば、クライアント装置が所望の予約記録開始時刻、予約記録終了時刻及び予約チャンネルからなる予約情報を生成して、接続手段を介してサーバ装置へ送信し、サーバ装置の予約記録動作の制御を行うようにしたため、視聴者は予約記録した所望の放送番組が変更された場合、予約記録をやり直すことができ、これにより、無駄な記録を防ぐことができるので、例えば、以前記録した情報データの上書きなどを防ぐことができる。
【発明を実施するための最良の形態】
【００１３】
次に、本発明の一実施の形態について図面と共に説明する。図１は本発明になるクライアント装置及びサーバ装置の一実施の形態を備えた予約記録確認システムの構成図を示す。図１に示すように、予約記録確認システム１００は、映像信号１０及びテレビ放送信号２０を受信し録画を行い、更に、録画した画像データをインターネット３０へ配信するサーバ装置２００と、インターネット３０からその画像データを取得するクライアント装置３００から構成されている。
【００１４】
図１において、本発明の一実施の形態のサーバ装置２００は、映像信号１０及びテレビ放送信号２０を受信して電気的な信号処理を行う信号処理部２１０と、信号処理部２１０において圧縮された画像データなどを蓄積する画像蓄積部２２０と、サーバ装置２００の全体を制御する制御部２３０と、操作部２４０と、ネットワーク通信部２５０から構成されている。
【００１５】
信号処理部２１０は、所望のチャンネルのテレビ放送信号２０を選局受信して映像信号を出力するチューナ２１１と、アナログの映像信号１０又はチューナ２１１からのテレビ放送信号２０をディジタル映像信号に変換するＡ／Ｄ変換装置２１２と、Ａ／Ｄ変換装置２１２から出力されたディジタル映像信号に対して画像処理する画像処理装置２１３から構成されている。
【００１６】
チューナ２１１から出力された所望のチャンネルのテレビ放送映像信号、又は外部機器より供給された映像信号１０は、Ａ／Ｄ変換装置２１２においてディジタル映像信号へ変換される。画像処理装置２１３は、Ａ／Ｄ変換装置２１２から出力されたディジタル映像信号を画像蓄積部２２０において蓄積可能な画像コーデック、例えば、ＩＳＯ／ＩＥＣ（the International Organization for Standardization/the International Electro technical Commission）によって定められているＭＰＥＧ−２（Moving Picture Experts Group phase 2）あるいはＭＰＥＧ−４(Moving Picture Experts Group phase 4)などへ変換する。上記画像処理装置２１３は、制御部２３０によって制御される。
【００１７】
画像蓄積部２２０は、画像処理装置２１３により変換して得られた画像データを記録する。逆に、画像蓄積部２２０は記録されている画像データを読み出して画像処理装置２１３及び制御部２３０に取り込むことも可能である。画像蓄積部２２０は、画像データを複数枚蓄積可能な磁気ディスク、磁気テープ、光磁気ディスクあるいは半導体メモリ等の書換可能な記録媒体とその記録再生部により構成されている。
【００１８】
制御部２３０は、ＨＴＴＰ（Hypertext Transfer Protocol）サーバ２３１と、メール送信装置２３２と、メール受信装置２３３を含んで構成され、また、サーバ装置２００全体を統括的に制御するための各種プログラムやデータを格納するメモリ及びそれらのプログラムやデータに基づき処理を行う判断機能を持った演算装置（いずれも図示せず）も有する。ここで、各種プログラムやデータとは、画像処理装置２１３及び画像蓄積部２２０から出力される画像データをクライアント装置３００で再生可能なファイルフォーマット、例えば、ＩＳＯ／ＩＥＣによって定められているＭＰ４ファイルなどへの変換や、録画予約などの処理を行うためのプログラムやデータである。
【００１９】
ＨＴＴＰサーバ２３１は、他機器からのＵＲＬ（Uniform Resource Locator）アクセスを受け付け、そのＵＲＬの内容に応じた処理、例えば、画像データを送信するなどの処理を行う。メール送信装置２３２は、画像データが添付された電子メールの作成処理を行う。メール受信装置２３３は、ネットワーク通信部２５０より出力されるクライアント装置３００から送信された電子メールなどの受信処理を行う。制御部２３０は、メール受信装置２３３が受信した電子メールの内容に応じた処理を行う。
【００２０】
操作部２４０は、液晶や陰極線管（ＣＲＴ）などによるディスプレイに取り付けられたタッチパネル、リモコン、各種入力装置、音声認識を利用したデータ入力装置などが含まれ、録画予約の設定や、クライアント装置３００の電子メールアドレスなど各種情報の入力を行う。
【００２１】
ネットワーク通信部２５０は、インターネット３０などと接続し、制御部２３０から供給されたデータ（例えば、電子メールや画像データなど）を所定の方式のパケットに格納して、インターネット３０を介して、クライアント装置３００に送信する。また、ネットワーク通信部２５０は、インターネット３０を介して、クライアント装置３００から受信したパケットに格納されているデータ又はプログラムを制御部２３０に出力する。
【００２２】
図２は本発明になるクライアント装置３００の一実施の形態を、サーバ装置２００及びインターネットと共に示す予約記録確認システムの構成図である。同図中、図１と同一構成部分には同一符号を付し、その説明を省略する。図２において、クライアント装置３００は、サーバ装置２００から送信された電子メールや画像データなどを取得するネットワーク通信部３１０と、クライアント装置３００の全体を制御する制御部３２０と、操作部３３０と、画像データの再生処理などを行う画像再生部３４０とから構成されている。
【００２３】
ネットワーク通信部３１０は、図１に示したネットワーク通信部２５０と同様の構成で同様の作用を有している。制御部３２０は、メール送信装置３２１と、メール受信装置３２２と、ブラウザ３２３を含む構成とされ、また、クライアント装置３００全体を制御するための各種プログラムやデータを格納するメモリや判断機能を持った演算装置（いずれも図示せず）を有する。メール送信装置３２１は、電子メールの作成処理を行う。メール受信装置３２２は、ネットワーク通信部３１０から出力される電子メールデータを受信し、添付されている画像データなどを抽出し画像再生部３４０へ出力する。ブラウザ３２３は、ＨＴＴＰプロトコルによるファイル転送を行い、また、ＨＴＭＬ（Hyper Text Markup Language）で記述されたハイパーテキストを解読し表示する機能を有する。
【００２４】
操作部３３０は、図１に示した操作部２４０と同様の構成で同様の作用を有し、電子メールの内容を作成するための入力などを行う。画像再生部３４０は、メール受信装置３２２やブラウザ３２３が受信した画像データを解釈し、ディスプレイに表示する機能を有する。
【００２５】
なお、サーバ装置２００及びクライアント装置３００は、通常は同一の所有者が所有しているものであり、サーバ装置２００としては、磁気テープ記録再生装置とＨＤＤ等のディスク記録再生装置とが一体化された装置に搭載されたサーバ装置、ＤＶＣやディジタルカメラなど画像を扱えて蓄積する能力のある家電機器に搭載されたサーバ装置、あるいは専用のサーバ装置などがある。一方、クライアント装置３００は、例えば、テレビ放送を受信する手段を持たない携帯端末機器であるが、携帯型でなくてもよい。
【００２６】
次に、図３〜図６に示されるフローチャートを参照して図１及び図２の予約記録確認システムの処理動作について説明する。まず、サーバ装置２００が、録画開始時にクライアント装置３００へ録画確認メールを送信する処理について図３と共に説明する。視聴者が録画予約したテレビ放送の録画が開始されると（図３のステップＳ１０１）、図１のサーバ装置２００の画像処理装置２１３は、Ａ／Ｄ変換装置２１２から供給されるディジタル映像信号から例えば、テレビ放送の番組開始３分後から３０秒間の録画画像データを抽出し、図２のクライアント装置３００の画像再生部３４０において再生可能な画像フォーマットへ変換する（図３のステップＳ１０２）。
【００２７】
このとき、録画画像データの抽出開始時刻がテレビ放送の番組開始時刻と一致していた場合、録画画像データの内容がコマーシャル（ＣＭ）である可能性があるので、抽出開始時刻は予め視聴者によって設定される。また、録画画像データの時間長についても、視聴者が録画を確認するために十分と判断する時間長で予め設定される。
【００２８】
メール送信装置２３２は、画像処理装置２１３から出力された録画画像データが添付された録画確認の電子メール（以下、単に録画確認メールともいう）を作成する（図３のステップＳ１０３）。図７に録画確認メールの一例を示す。この録画確認メールには、日付と、視聴者が録画予約処理を行った際に制御部２３０において作成される予約ＩＤと、録画開始時間及び録画終了予定時間と、テレビ放送のチャンネルなどの情報が含まれており、録画画像データが添付されている。ネットワーク通信部２５０は、メール送信装置２３２から出力された録画確認メールを、インターネット３０を介してクライアント装置３００へ送信する（図３のステップＳ１０４）。
【００２９】
次に、サーバ装置２００において、視聴者が録画予約したテレビ放送の録画が録画終了予定時刻よりも前に中断されたときに、サーバ装置２００がクライアント端末３００へ録画異常を通知するための録画中止の電子メール（以下、単に録画中止メールともいう）を送信する処理手順について図４のフローチャートと共に説明する。
【００３０】
例えば、図１のサーバ装置２００の画像蓄積部２２０が、テープメディアに対して記録再生を行う構成である場合には、録画中にテープの残量が無くなるなどの原因により録画が中止することがある（図４のステップＳ２０１）。ここで、制御部２３０は録画予約情報を管理しており、画像蓄積部２２０の録画終了時刻が録画予約にある終了時刻よりも早かった場合に、制御部２３０が録画中止と判断し、メール送信装置２３２へその旨伝達する。これにより、メール送信装置２３２は、録画中止メールを作成する（図４のステップＳ２０２）。
【００３１】
図８は録画中止メールの一例を示す。この例では、録画中止メールの内容には図７の録画確認メールと同様、日付、予約ＩＤ、録画開始時間、チャンネルなどの情報が含まれ、また、録画中止の原因を示す詳細情報が含まれる。図１のサーバ装置２００内のネットワーク通信部２５０は、メール送信装置２３２から出力される録画中止メールをインターネット３０を介してクライアント装置３００へ送信し、クライアント装置３００の所有者である視聴者へ録画が中止されたことを知らせる（図４のステップＳ２０３）。
【００３２】
次に、クライアント装置３００における録画確認の動作について、図５のフローチャートと共に説明する。まず、図２のクライアント装置３００は、サーバ装置２００から送信された電子メールを、インターネット３０を介してネットワーク通信部３１０により受信し、メール受信装置３２２により電子メールの受信処理を行う（図５のステップＳ３０１）。
【００３３】
続いて、メール受信装置３２２は受信した電子メールが録画確認メールであるか録画中止メールであるかの判定を、例えばメールヘッダ部の値（固有識別子）に基づき行う（図５のステップＳ３０２）。受信した電子メールが図７に示したような録画確認メールであると判定した場合、録画確認メールに添付されている画像データを画像再生部３４０へ出力して、添付画像データを再生させ、そのディスプレイに再生画像を表示させる（図５のステップＳ３０３）。
【００３４】
クライアント装置３００の所有者である視聴者は、添付画像データの再生画像を見て、画像内容が録画予約したテレビ放送と合致するかどうか判定し（図５のステップＳ３０４）、合致する場合は録画確認動作は終了する（図５のステップＳ３０８）。他方、録画確認メールに添付された画像データの内容が、例えば、ＣＭなどのテレビ番組以外の内容であった場合、視聴者は、添付画像データと録画予約したテレビ放送が合致すると判断できないので、操作部３３０を操作して他の録画画像データを要求するための画像要求メール作成を指示する。
【００３５】
この画像要求メール作成指示に従い、メール送信装置３２１は他の録画画像データを要求するための画像要求メールを作成し（図５のステップＳ３０５）、ネットワーク通信部３１０及びインターネット３０を介してサーバ装置２００へ送信する（図５のステップＳ３０７）。
【００３６】
図９は上記の画像要求メールの一例を示す。この例では、画像要求メールの内容はタグ（＜＞）に囲まれた項目と、その項目の設定内容で構成されており、＜ＩＤ＞は図７において説明した予約ＩＤ、＜ｃｏｍｍａｎｄ１＞は画像要求命令、＜ｅｌａｐｓｅｄ  ｔｉｍｅ＞は録画開始時刻からの経過時間で表される画像データ記録開始時刻、＜ｒｅｃｏｒｄｉｎｇ  ｔｉｍｅ＞は画像データの時間長をそれぞれ示す。各項目の内容は、視聴者が操作部３３０から設定する。
【００３７】
サーバ装置２００では、上記の画像要求メールをネットワーク通信部２５０を介してメール受信装置２３３が受信すると、受信した画像要求メールの内容を判断し、その内容に応じて画像蓄積部２２０へ画像読み出し命令を行う。この画像読み出し命令に従って画像蓄積部２２０から読み出された録画画像データは、画像処理装置２１３で画像フォーマット変換された後、再び録画確認メールとしてメール送信装置２３２からネットワーク通信部２５０を介してインターネット３０経由でクライアント装置３００へ送信される。
【００３８】
一方、制御部３２０は、メール受信装置３２２によりステップＳ３０２において、受信した電子メールが図８に示したような録画中止メールであると判定した場合、メール送信装置３２１により、録画予約されたテレビ放送の録画を再開させるための録画再開メールを作成させ（図５のステップＳ３０６）、その録画再開メールをネットワーク通信部３１０及びインターネット３０を介してサーバ装置２００へ送信する（図５のステップＳ３０７）。
【００３９】
図１０は図８の録画中止メールに対して録画再開要求を行う場合に作成される録画再開メールの一例を示す。この例では、録画再開メールの内容は図９の画像要求メールと同様、タグ（＜＞）に囲まれた項目と、その項目の設定内容で構成されており、＜ＩＤ＞は図７において説明した予約ＩＤ、＜ｃｏｍｍａｎｄ１＞は録画再開命令、＜ｃｏｍｍａｎｄ２＞はテープ巻き戻し命令、＜ｃｏｍｍａｎｄ３＞は録画再開後の録画確認メール要求命令を示している。各項目の内容設定は、視聴者が操作部３３０から行う。
【００４０】
上記の画像再開メールをネットワーク通信部２５０を介してメール受信装置２３３が受信すると、受信した画像再開メールの内容を判断し、画像蓄積部２２０のテープの巻き戻しを行い、録画を再開する。
【００４１】
次に、クライアント装置３００によるサーバ装置２００における録画の確認作業の動作について、図６のフローチャートと共に説明する。この録画確認作業は、サーバ装置２００におけるＨＴＴＰサーバ２３１及びクライアント装置３００におけるブラウザ３２３を用いて行うことができる。
【００４２】
まず、クライアント装置３００の所有者である視聴者は、所望の番組が放送されている時間に、クライアント装置３００のブラウザ３２３からネットワーク通信部３１０及びインターネット３０、サーバ装置２００のネットワーク通信部２５０をそれぞれ介してＨＴＴＰサーバ２３１へアクセスする（図６のステップＳ４０１）。
【００４３】
このアクセスに従い、ＨＴＴＰサーバ２３１はＨＴＭＬ文書のメニュー情報を生成して、サーバ装置２００のネットワーク通信部２５０、インターネット３０及びクライアント装置３００のネットワーク通信部３１０をそれぞれ介してブラウザ３２３に応答送信する。これにより、ブラウザ３２３はＨＴＴＰサーバ２３１から出力されるＨＴＭＬ文書を解読し、図１１に示すようなメニュー画面を表示して「録画確認」と「録画予約」のどちらが選択されたかを判定する（図６のステップＳ４０２）。
【００４４】
すなわち、図１１に示すメニュー画面では、メニューとして「録画確認」と表示されるＵＲＬと、「録画予約」と表示されるＵＲＬが存在する。視聴者が「録画確認」を選択すると、その選択情報が、クライアント装置３００から送信されてサーバ装置２００にて受信され、ＨＴＴＰサーバ２３１へ供給される。ＨＴＴＰサーバ２３１は、視聴者が選択したＵＲＬに応じて図６のステップＳ４０３又はステップＳ４０７へ移行する。
【００４５】
視聴者が「録画確認」と表示されるＵＲＬを選択した場合、ＨＴＴＰサーバ２３１は現在録画処理が行われているかどうかの判断を行い（図６のステップＳ４０３）、録画中であれば図１２（ａ）、（ｂ）に示されるような録画画像データの設定画面の情報をクライアント装置３００へインターネット３０を介して送信してブラウザ３２３に表示させ、視聴者により所望する録画画像データの抽出設定を行わせる（図６のステップＳ４０４）。
【００４６】
クライアント装置３００の操作部３３０を使用した上記の録画画像データの抽出設定により、その設定情報がクライアント装置３００からサーバ装置２００へインターネット３０を介して送信される。サーバ装置２００は上記の設定情報を受信すると、制御部２３０がその設定情報を解釈し、その解釈結果に応じて画像蓄積部２２０へ画像の抽出命令を送出し、これに基づき画像蓄積部２２０から出力された録画画像データが画像処理装置２１３に供給され、ここでクライアント装置３００の画像再生部３４０で再生可能なフォーマットへ変換される（図６のステップＳ４０５）。
【００４７】
画像処理装置２１３により抽出及びフォーマット変換された録画画像データは、サーバ装置２００からインターネット３０を介してクライアント装置３００へ配信される（図６のステップＳ４０６）。クライアント装置３００は、ネットワーク通信部３１０で受信されて制御部３２０に供給された上記の録画画像データが、ブラウザ３２３が図１２（ａ）、（ｂ）において視聴者がＵＲＬを選択するといったリクエストに対する返答であると判断した場合、受信した録画画像データを画像再生部３４０に渡し、画像再生部３４０において再生させ、そのディスプレイに再生画像を表示させる。
【００４８】
クライアント装置３００の所有者である視聴者は、受信した録画画像データの再生画像を見て、画像内容が録画予約したテレビ放送と合致するかどうか判定し（図６のステップＳ４０９）、合致する場合は録画確認動作は終了する（図６のステップＳ４１０）。他方、録画画像データの内容が録画予約したテレビ放送と合致するかどうか判断できなかった場合は図６のステップＳ４０３の処理へ戻る（図６のステップＳ４０９）。
【００４９】
また、図６のステップＳ４０２において図１１に示すメニュー画面から視聴者が「録画予約」を選択した場合、又は図６のステップＳ４０３でサーバ装置２００が録画中でないと判定された場合、ブラウザ３２３には図１３に示す録画予約画面が表示され、視聴者はこの録画予約画面に従い、所望の録画開始時間、録画終了予定時間、チャンネルを設定する録画予約を行う（図６のステップＳ４０７）。
【００５０】
この録画予約を行うと、その録画予約情報がクライアント装置３００から送信され、インターネット３０を介してサーバ装置２００内のネットワーク通信部２５０で受信された後ＨＴＴＰサーバ２３１に供給される。制御部２３０内のサーバ装置２００全体を統括的に制御する判断機能を持った演算装置（図示せず）は、ＨＴＴＰサーバ２３１にて受信された録画予約情報に基づき、信号処理部２１０内のチューナ２１１を制御し、録画開始時刻の直前から録画終了時刻までチューナ２１１を予約チャンネルを選局するように動作制御することにより、録画予約開始時刻から録画予約したチャンネルの画像蓄積部２２０への録画を開始させる（図６のステップＳ４０８）。
【００５１】
このように、本実施の形態によれば、テレビ放送を受信する手段を持たない携帯端末機器などのクライアント装置３００により、録画機器において録画中のテレビ放送の画像を取得して閲覧することができ、これにより、クライアント装置３００及びサーバ装置２００の所有者である視聴者が録画予約したテレビ放送が録画機器において正常に録画されているかどうかを知ることができる。
【００５２】
従って、視聴者はクライアント装置３００により、録画予約したテレビ放送の突然の変更を外出先から知ることができる。更に、クライアント装置３００から新たに録画予約ができるようにしたので、視聴者は録画予約した所望のテレビ番組が変更された場合、録画予約をやり直すことができる。これにより、無駄な録画を防ぐことができる。
【００５３】
なお、本発明は上記の実施の形態に限定されるものではなく、例えば、テレビ放送の録画予約及び録画処理は外部録画装置が行ってもよい。この場合、外部録画装置から出力される映像信号１０をサーバ装置２００の画像処理装置２１３及び制御部２３０においてクライアント装置３００が再生可能なフォーマットへ変換し、ネットワーク通信部２５０がクライアント装置３００へ配信する。
【００５４】
また、本発明において、記録再生する情報信号は、上記の実施の形態ではテレビ放送の映像信号として説明したが、映像信号及び音声信号からなるテレビジョン信号でもよいし、テレビ放送あるいは音声放送の音声信号だけでもよい。また、本発明は、放送信号以外の情報信号の予約記録にも適用できる。
【図面の簡単な説明】
【００５５】
【図１】予約記録確認システム中の本発明のサーバ装置の一実施の形態のブロック図である。
【図２】予約記録確認システム中の本発明のクライアント装置の一実施の形態のブロック図である。
【図３】本発明のサーバ装置が録画確認メールを送信する動作説明用フローチャートである。
【図４】本発明のサーバ装置が録画中止メールを送信する動作説明用フローチャートである。
【図５】本発明のクライアント装置が録画確認メール及び録画中止メールを受信し、視聴者が録画確認をするまでの動作の流れを示すフローチャートである。
【図６】本発明のクライアント装置からサーバ装置へのＨＴＴＰアクセスによって録画確認を行う際に、サーバ装置及びクライアント装置の動作の流れを示すフローチャートである。
【図７】本発明において送受信される録画確認メールの一例を示す図である。
【図８】本発明において送受信される録画中止メールの一例を示す図である。
【図９】本発明において送受信される画像要求メールの一例を示す図である。
【図１０】本発明において送受信される録画再開メールの一例を示す図である。
【図１１】本発明のクライアント装置からサーバ装置へのＨＴＴＰアクセスによって録画確認を行う際に、クライアント装置のブラウザに表示されるメニュー選択画面の一例を示す図である。
【図１２】本発明のクライアント装置からサーバ装置へのＨＴＴＰアクセスによって録画確認を行う際に、クライアント装置のブラウザに表示される取得画像設定画面の一例を示す図である。
【図１３】本発明のクライアント装置からサーバ装置へのＨＴＴＰアクセスによって録画予約を行う際に、クライアント装置のブラウザに表示される録画予約画面の一例を示す図である。
【符号の説明】
【００５６】
１０  映像信号
２０  テレビ放送信号
３０  インターネット
１００  予約記録確認システム
２００  サーバ装置
２１１  チューナ
２１２  Ａ／Ｄ変換装置
２１３  画像処理装置
２１０  信号処理部
２２０  画像蓄積部
２３０、３２０  制御部
２３１  ＨＴＴＰサーバ
２３２、３２１  メール送信装置
２３３、３２２  メール受信装置
２４０、３３０  操作部
２５０、３１０  ネットワーク通信部
３００  クライアント装置
３２３  ブラウザ
３４０  画像再生部
【図１】
2005286519.tif 000003
【図２】
2005286519.tif 000004
【図３】
2005286519.tif 000005
【図４】
2005286519.tif 000006
【図５】
2005286519.tif 000007
【図６】
2005286519.tif 000008
【図７】
2005286519.tif 000009
【図８】
2005286519.tif 000010
【図９】
2005286519.tif 000011
【図１０】
2005286519.tif 000012
【図１１】
2005286519.tif 000013
【図１２】
2005286519.tif 000014
【図１３】
2005286519.tif 000015